(57)【特許請求の範囲】
【請求項１】
少なくともユーザデータを記録するためのユーザデータエリアと少なくとも前記ユーザデータの記録を管理するための記録管理データを記録するための記録管理エリアとを夫々備える第１記録層及び第２記録層を備える２層型の情報記録媒体に前記ユーザデータ及び前記記録管理データを記録する情報記録装置であって、
前記第１記録層の前記記録管理エリアに、前記記録管理データを記録管理セグメントの単位で記録すると共に当該記録管理セグメントが複数配置されるように前記記録管理データを記録する第１記録手段と、
前記第２記録層の前記記録管理エリアに、前記記録管理データを前記記録管理セグメントの単位で記録する第２記録手段と、
(i)前記第１記録層の前記記録管理エリアに前記記録管理セグメントが複数配置されるように前記第１記録手段を制御し、(ii)前記第１記録層の前記記録管理エリアに前記記録管理セグメントが複数配置された後に、前記記録管理セグメントを配置するための空き領域を前記第１記録層の前記記録管理エリア内に確保することができなくなる場合に、前記第２記録層の前記記録管理エリアに前記記録管理セグメントが配置されるように前記第２記録手段を制御する第１制御手段と
を備えることを特徴とする情報記録装置。
【請求項２】
前記ユーザデータ及び前記記録管理データの少なくとも一方が記録された前記第１記録層の記録領域に対応する前記第２記録層の前記記録管理エリアに、前記記録管理データを記録するように前記第２記録手段を制御する第２制御手段を更に備えることを特徴とする請求項１に記載の情報記録装置。
【請求項３】
前記第１記録手段及び前記第２記録手段の夫々は、レーザ光を照射することで前記記録管理データを記録し、
前記第２制御手段は、前記ユーザデータ及び前記記録管理データの少なくとも一方が記録された前記第１記録層の記録領域を介して前記レーザ光を照射することで、前記記録管理データを前記第２記録層の前記記録管理エリアに記録するように前記第２記録手段を制御することを特徴とする請求項２に記載の情報記録装置。
【請求項４】
前記第２制御手段は、前記記録管理データが記録された前記第１記録層の記録領域の内周側端部と前記記録管理データが記録された前記第２記録層の記録領域の内周側端部とが、少なくとも所定距離離れて前記記録管理データが記録されるように前記第２記録手段を制御することを特徴とする請求項２に記載の情報記録装置。
【請求項５】
前記第２制御手段は、前記記録管理データが記録された前記第１記録層の記録領域の外周側端部と前記記録管理データが記録された前記第２記録層の記録領域の外周側端部とが、少なくとも所定距離離れて前記記録管理データが記録されるように前記第２記録手段を制御することを特徴とする請求項２に記載の情報記録装置。
【請求項６】
前記記録管理データが未記録である前記第１記録層の前記記録管理エリアの記録領域の少なくとも一部に、前記記録管理データとしてダミー情報を記録するように前記第１記録手段を制御する第３制御手段を更に備え、
前記第２制御手段は、前記ダミー情報が記録された前記第１記録層の記録領域の内周側端部と前記記録管理データが記録された前記第２記録層の記録領域の内周側端部とが、少なくとも所定距離離れて前記記録管理データが記録されるように前記第２記録手段を制御することを特徴とする請求項２に記載の情報記録装置。
【請求項７】
前記記録管理データが未記録である前記第１記録層の前記記録管理エリアの記録領域の少なくとも一部に、前記記録管理データとしてダミー情報を記録するように前記第１記録手段を制御する第３制御手段を更に備え、
前記第２制御手段は、前記ダミー情報が記録された前記第１記録層の記録領域の外周側端部と前記記録管理データが記録された前記第２記録層の記録領域の外周側端部とが、少なくとも所定距離離れて前記記録管理データが記録されるように前記第２記録手段を制御することを特徴とする請求項２に記載の情報記録装置。
【請求項８】
少なくともユーザデータを記録するためのユーザデータエリアと少なくとも前記ユーザデータの記録を管理するための記録管理データを記録するための記録管理エリアとを夫々備える第１記録層及び第２記録層を備える２層型の情報記録媒体に前記ユーザデータ及び前記記録管理データを記録する情報記録方法であって、
前記第１記録層の前記記録管理エリアに、前記記録管理データを記録管理セグメントの単位で記録すると共に当該記録管理セグメントが複数配置されるように前記記録管理データを記録する第１記録工程と、
前記第２記録層の前記記録管理エリアに、前記記録管理データを前記記録管理セグメントの単位で記録する第２記録工程と、
(i)前記第１記録層の前記記録管理エリアに前記記録管理セグメントが複数配置されるように前記第１記録工程を制御し、(ii)前記第１記録層の前記記録管理エリアに前記記録管理セグメントが複数配置された後に、前記記録管理セグメントを配置するための空き領域を前記第１記録層の前記記録管理エリア内に確保することができなくなる場合に、前記第２記録層の前記記録管理エリアに前記記録管理セグメントが配置されるように前記第２記録工程を制御する第１制御工程と
を備えることを特徴とする情報記録方法。
【請求項９】
請求項１に記載の情報記録装置に備えられたコンピュータを制御する記録制御用のコンピュータプログラムであって、該コンピュータを、前記第１記録手段、前記第２記録手段及び前記第１制御手段として機能させることを特徴とするコンピュータプログラム。
【発明の詳細な説明】
【技術分野】
【０００１】
本発明は、例えばＤＶＤ等の情報記録媒体、例えばＤＶＤレコーダ等の情報記録装置及び方法、並びにコンピュータをこのような情報記録装置として機能させるコンピュータプログラムの技術分野に関する。
【背景技術】
【０００２】
例えば、ＤＶＤ−ＲＯＭ（ＤＶＤ−Read Only Memory）、ＤＶＤ−Ｒ（ＤＶＤ−Recordable）、ＢＤ−ＲＯＭ等の情報記録媒体では、特許文献１等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスク、例えば２層型のＤＶＤ−Ｒディスクに記録を行う場合は、ＤＶＤレコーダ等の情報記録装置は、レーザ光の照射側から見て最も手前側（即ち、光ピックアップに近い側）に位置する記録層（本願では適宜「Ｌ０層」と称する）に対して記録用のレーザ光を集光することで、Ｌ０層に対してデータを熱変化記録方式（言い換えれば、非可逆記録方式）で記録し、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を熱変化記録方式で記録することになる。他方で、２層型のＤＶＤ−ＲＷディスクに記録を行う場合は、ＤＶＤレコーダ等の情報記録装置は、Ｌ０層に対して記録用のレーザ光を集光することで、Ｌ０層に対してデータを相変化記録方式（言い換えれば、可逆記録方式）で記録し、Ｌ０層等を介して、Ｌ１層に対して該レーザ光を集光することで、Ｌ１層に対して情報を相変化記録方式で記録することになる。【０００３】
このような複数の記録層が積層されてなる情報記録媒体では、Ｌ０層の内周側及びＬ１層の外周側にディスクボリューム情報を記録することで、対傷等のデータ信頼性を維持する技術が開発されている（特許文献１参照）。【０００４】
他方で、情報記録媒体に情報を記録する際には、該情報の記録を管理するための記録管理データ（ＲＭＤ：Recording Management Data）が、情報記録媒体上に設けられている記録管理エリア（ＲＭＡ：Recording Management Area）に記録される。ＲＭＡの使用方法として、例えば、追記可能な１層型および２層型のＤＶＤ−Ｒディスクでは、新たなＲＭＤを追記していくことによって、ＲＭＤの更新記録が行われる。また、書き換え可能な１層型のＤＶＤ−ＲＷディスクにおいては、ＲＭＡの使用方法として、この方法のほかに、該ＲＭＡを分割することで得られるＲＭＡセグメント毎に使用される方法も採用されている。一つのＲＭＡセグメントは、該ＲＭＡセグメントを分割することで得られるＲＭＤセット毎に使用される。そして、有効な（言い換えれば、最新の）ＲＭＤは、ＲＭＡセグメントの先頭以外のＲＭＤセットに記録され、該有効なＲＭＤが記録されたＲＭＤセットの位置を示すポインタが、ＲＭＡセグメントの先頭のＲＭＤセットに記録される。つまり、有効なＲＭＤを読み取る場合には、まずＲＭＡセグメントの先頭のＲＭＤセットを参照することでポインタを取得し、該ポインタが指し示すＲＭＤセットより、有効なＲＭＤが読み取られる。また、同様の動作により、有効なＲＭＤが記録されているＲＭＤセットにおいて、ＲＭＤの更新記録が行われる。【０００５】
【特許文献１】特開２００５−２２２６２８号公報
【発明の開示】
【発明が解決しようとする課題】
【０００６】
複数の記録層が積層されてなる情報記録媒体では、Ｌ０層とＬ１層の夫々にＲＭＡが設けられている。このため、ＲＭＡセグメント毎にＲＭＡを分割する使用方法においては、Ｌ０層及びＬ１層の夫々のＲＭＡのサイズやＲＭＡセグメントのサイズによっては、一つのＲＭＡセグメントがＬ０層とＬ１層とに跨って配置される状態が生じ得る。これにより、ＲＭＡセグメントの先頭のＲＭＤセットがＬ０層に配置され、ＲＭＡセグメントの先頭以外のＲＭＤセットがＬ１層に配置される状態が生じ得る。この場合、有効なＲＭＤを読み取る又はＲＭＤを更新記録するためには、Ｌ０層に配置されるＲＭＤセットよりポインタを取得した後にレイヤージャンプする必要がある。しかしながら、レイヤージャンプには一定の時間を要するため、有効なＲＭＤを読み取る又はＲＭＤを更新記録するために要する時間が増大してしまう。【０００７】
更に、ＲＭＤの更新記録に加えて、ポインタの更新記録をする場合には、Ｌ０層及びＬ１層の夫々に対して連続して記録動作を行う必要がある。Ｌ０層に情報を記録する際の最適記録パワーとＬ１層に情報を記録する際の最適記録パワーとは、一般的に異なっていることから、いずれか一方の最適記録パワーしか情報記録装置が認識していない場合には、他方の最適記録パワーを算出する必要がある。これも、有効なＲＭＤを読み取る又はＲＭＤを更新記録するために要する時間が増大してしまうことにつながりかねない。【０００８】
本発明は、例えば上述した従来の問題点に鑑みなされたものであり、例えば記録管理データを好適に記録可能な情報記録装置及び方法、コンピュータをこのような情報記録装置として機能させるコンピュータプログラム、並びに情報記録媒体を提供することを課題とする。
【課題を解決するための手段】
【０００９】
上記課題を解決するために、本発明の情報記録装置は、少なくともユーザデータを記録するためのユーザデータエリアと少なくとも前記ユーザデータの記録を管理するための記録管理データを記録するための記録管理エリアとを夫々備える第１記録層及び第２記録層を備える２層型の情報記録媒体に前記ユーザデータ及び前記記録管理データを記録する情報記録装置であって、前記第１記録層の前記記録管理エリアに、前記記録管理データを記録管理セグメントの単位で記録すると共に当該記録管理セグメントが複数配置されるように前記記録管理データを記録する第１記録手段と、前記第２記録層の前記記録管理エリアに、前記記録管理データを前記記録管理セグメントの単位で記録する第２記録手段と、(i)前記第１記録層の前記記録管理エリアに前記記録管理セグメントが複数配置されるように前記第１記録手段を制御し、(ii)前記第１記録層の前記記録管理エリアに前記記録管理セグメントが複数配置された後に、前記記録管理セグメントを配置するための空き領域を前記第１記録層の前記記録管理エリア内に確保することができなくなる場合に、前記第２記録層の前記記録管理エリアに前記記録管理セグメントが配置されるように前記第２記録手段を制御する第１制御手段とを備える。
【００１０】
上記課題を解決するために、本発明の情報記録方法は、少なくともユーザデータを記録するためのユーザデータエリアと少なくとも前記ユーザデータの記録を管理するための記録管理データを記録するための記録管理エリアとを夫々備える第１記録層及び第２記録層を備える２層型の情報記録媒体に前記ユーザデータ及び前記記録管理データを記録する情報記録方法であって、前記第１記録層の前記記録管理エリアに、前記記録管理データを記録管理セグメントの単位で記録すると共に当該記録管理セグメントが複数配置されるように前記記録管理データを記録する第１記録工程と、前記第２記録層の前記記録管理エリアに、前記記録管理データを前記記録管理セグメントの単位で記録する第２記録工程と、(i)前記第１記録層の前記記録管理エリアに前記記録管理セグメントが複数配置されるように前記第１記録工程を制御し、(ii)前記第１記録層の前記記録管理エリアに前記記録管理セグメントが複数配置された後に、前記記録管理セグメントを配置するための空き領域を前記第１記録層の前記記録管理エリア内に確保することができなくなる場合に、前記第２記録層の前記記録管理エリアに前記記録管理セグメントが配置されるように前記第２記録工程を制御する第１制御工程とを備える。
【００１１】
上記課題を解決するために、本発明のコンピュータプログラムは、上述した本発明の情報記録装置に備えられたコンピュータを制御する記録制御用のコンピュータプログラムであって、該コンピュータを、前記第１記録手段、前記第２記録手段及び前記第１制御手段として機能させる。
【００１３】
本発明の作用及び他の利得は次に説明する実施の形態から明らかにされよう。
【図面の簡単な説明】
【００１４】
【図１】本実施例に係る光ディスクの基本構造を示した概略平面図であり、該光ディスクの概略断面図と、これに対応付けられた、その半径方向における記録領域構造の図式的概念図である。
【図２】光ディスクの概略断面図と、これに対応付けられた、その半径方向における記録領域構造の図式的概念図である。
【図３】ＲＭＡに記録されるＲＭＤのデータ構造を概念的に示すデータ構造図である。
【図４】ＲＭＤを構成するフィールド毎のデータ構造を、フォーマット２及びフォーマット３の夫々について概念的に示すデータ構造図である。
【図５】フォーマット３のＲＭＤのフィールド３のデータ構造を示すデータ構造図である。
【図６】本実施例に係る情報記録再生装置の基本的な構成を概念的に示すブロック図である。
【図７】ＲＭＡの使用の態様を概念的に示すデータ構造図である。
【図８】Ｌ０層のＲＭＡに生ずる未記録領域にダミーデータを記録する一の態様を概念的に示すデータ構造図である。
【図９】図８の状態でＬ１層のＲＭＡにＲＭＤを記録する場合のレーザ光ＬＢの照射の態様を概念的に示す断面図である。
【図１０】Ｌ０層のＲＭＡに生ずる未記録領域にダミーデータを記録する他の態様を概念的に示すデータ構造図である。
【図１１】Ｌ０層のＲＭＡに生ずる未記録領域にダミーデータを記録する他の態様を概念的に示すデータ構造図である。
【符号の説明】
【００１５】
１００  光ディスク
１０２  リードインエリア
１０３、１１３  ＲＭＡ
１０５、１１５  データエリア
１０６、１１６  シフテッドミドルエリア
１０９、１１９  固定ミドルエリア
１１８  リードアウトエリア
２００  情報記録再生装置
３００  ディスクドライブ
３５２  光ピックアップ
３５３  信号記録再生手段
３５４  ＣＰＵ
４００  ホストコンピュータ
【発明を実施するための最良の形態】
【００１６】
以下、発明を実施するための最良の形態として、本発明の情報記録装置及び方法、コンピュータプログラム、並びに情報記録媒体に係る実施形態の説明を進める。【００１７】
（情報記録装置の実施形態）
本発明の情報記録装置に係る実施形態は、少なくともユーザデータを記録するためのユーザデータエリアと少なくとも前記ユーザデータの記録を管理するための記録管理データを記録するための記録管理エリアとを夫々備える第１記録層及び第２記録層を備える２層型の情報記録媒体に前記ユーザデータ及び前記記録管理データを記録する情報記録装置であって、前記第１記録層の前記記録管理エリアに、前記記録管理データを記録管理セグメントの単位で記録すると共に当該記録管理セグメントが複数配置されるように前記記録管理データを記録する第１記録手段と、前記第２記録層の前記記録管理エリアに、前記記録管理データを前記記録管理セグメントの単位で記録する第２記録手段と、(i)前記第１記録層の前記記録管理エリアに前記記録管理セグメントが複数配置されるように前記第１記録手段を制御し、(ii)前記第１記録層の前記記録管理エリアに前記記録管理セグメントが複数配置された後に、前記記録管理セグメントを配置するための空き領域を前記第１記録層の前記記録管理エリア内に確保することができなくなる場合に、前記第２記録層の前記記録管理エリアに前記記録管理セグメントが配置されるように前記第２記録手段を制御する第１制御手段とを備える。
【００１８】
本発明の情報記録装置に係る実施形態によれば、第１記録層及び第２記録層の夫々に備えられるユーザデータエリアに、映画や音声等の各種コンテンツを含むユーザデータが記録される。
【００１９】
更に、第１及び第２記録手段の動作により、第１記録層及び第２記録層の夫々に備えられる記録管理エリアに、ユーザデータの記録を管理するための記録管理データが記録される。このとき、第１記録層の記録管理エリアには、記録管理セグメントの単位で記録管理データが記録される。同様に、第２記録層の記録管理エリアには、記録管理セグメントの単位で記録管理データが記録される。
【００２０】
本実施形態では特に、第１制御手段の動作により、第１記録層の記録管理エリアに記録管理セグメントが複数配置されるように第１記録手段が制御される。つまり、第１記録手段は、第１記録層の記録管理エリアに複数の記録管理セグメントが配置されるように、第１記録層の記録管理エリアに記録管理データを記録する。その後、第２制御手段の動作により、第１記録層の前記記録管理エリアに記録管理セグメントが複数配置された後に記録管理セグメントを配置するための空き領域を第１記録層の記録管理エリア内に確保することができなくなる場合に、第２記録層の記録管理エリアに記録管理セグメントが配置されるように第２記録手段が制御される。従って、複数の記録管理セグメントの夫々は、複数の記録層に跨って配置されない。
【００２１】
これにより、単一の記録層に配置される夫々の記録管理セグメントを用いて、記録管理データを記録することができる。つまり、第１記録層又は第２記録層に配置されている記録管理セグメントに記録管理データを記録している場合には、その記録管理セグメントを使用している限りは、記録管理データを記録する記録層を変更する必要がない。従って、記録管理データを記録し或いは記録管理データを読み取る際に、記録動作の対象となる記録層を変更するための動作を行う必要がない。これにより、記録管理データの記録や記録管理データの読取に要する時間を、相対的に短縮することができる。【００２２】
加えて、記録管理データを記録する記録層を変更する必要がないため、記録管理データを記録する際の記録パワーを変更する必要もない。このため、記録管理データを記録する対象となっている記録層に対する最適記録パワーを認識していれば、他の記録層に対する最適記録パワーを認識している必要はない。つまり、他の記録層に対する最適記録パワーを算出する必要はない。これにより、記録管理データの記録や記録管理データの読取に要する時間を、相対的に短縮することができる。【００２３】
このように、本発明の情報記録装置に係る実施形態によれば、記録管理データを好適に記録することができる。【００２７】
本発明の情報記録装置に係る実施形態の他の態様は、前記ユーザデータ及び前記記録管理データの少なくとも一方が記録された前記第１記録層の記録領域に対応する前記第２記録層の前記記録管理エリアに、前記記録管理データを記録するように前記第２記録手段を制御する第２制御手段を更に備える。
【００２８】
この態様によれば、第２制御手段の動作により、ユーザデータ及び記録管理データの少なくとも一方が記録された第１記録層の記録領域に対応する（言い換えれば、対向する）第２記録層の記録管理エリアに記録管理データが記録される。つまり、第２記録層の記録管理エリアに記録管理データを記録する際には、対応する第１記録層の記録状態（具体的には、ユーザデータ又は記録管理データが記録済みか又は未記録か）を統一することができる。このため、第１記録層の記録状態に応じて、第２記録層の記録管理エリアに記録される記録管理データの記録品質が変動することは殆どない。これにより、第２記録層の記録管理エリアに、好適に記録管理データを記録することができる。【００２９】
仮にこのような第２制御手段を備えていなければ、第１記録層にユーザデータ又は記録管理データが記録されているか或いはいないかを考慮することなく、第２記録層の記録管理エリアに記録管理データを記録することになる。従って、仮に同一のレーザ光で記録を行なうとすれば、第１記録層の記録状態に起因して第２記録層に記録される記録管理データの記録特性にバラツキが生じ好ましくない。他方、良好な記録特性を確保するためには、第１記録層の記録状態に応じて記録パワーを変える必要がある。しかしながら、記録パワーの変更には、一定の時間を要する。しかるに、本実施形態によれば、このような不都合を排除することができるという点で大きな利点を有している。【００３０】
上述の如く第２制御手段を備える情報記録装置の態様では、前記第１記録手段及び前記第２記録手段の夫々は、レーザ光を照射することで前記記録管理データを記録し、前記第２制御手段は、前記ユーザデータ及び前記記録管理データの少なくとも一方が記録された前記第１記録層の記録領域を介して前記レーザ光を照射することで、前記記録管理データを前記第２記録層の前記記録管理エリアに記録するように前記第２記録手段を制御するように構成してもよい。
【００３１】
このように構成すれば、第１記録層にレーザ光の焦点が合わせられることで、第１記録層にユーザデータ及び記録管理データが記録される。同様に、第２記録層にレーザ光の焦点が合わせられることで、第２記録層にユーザデータ及び記録管理データが記録される。【００３２】
そして、第２制御手段は、例えばレーザ光を照射する側から見て第１記録層より奥側に（或いは、遠い側）に位置する第２記録層に記録管理データを記録する場合には、ユーザデータ及び記録管理データの少なくとも一方が記録された第１記録層の記録領域を介してレーザ光が照射されるように第２記録手段を制御する。言い換えれば、ユーザデータ及び記録管理データが未記録の第１記録層の記録層を介してレーザ光が照射されることで第２記録層に記録管理データが記録されることが殆ど或いは全くない。従って、照射されるレーザ光の条件を変更することなく、第２記録層の記録管理エリアの概ね全体に渡って好適に記録管理データを記録することができる。
【００３３】
上述の如く第２制御手段を備える情報記録装置の態様では、前記第２制御手段は、前記記録管理データが記録された前記第１記録層の記録領域の内周側端部と前記記録管理データが記録された前記第２記録層の記録領域の内周側端部とが、少なくとも所定距離離れて前記記録管理データが記録されるように前記第２記録手段を制御するように構成してもよい。
【００３４】
このように構成すれば、後に図面を用いて詳述するように、第２記録層の記録管理エリアに記録管理データを記録する際に、対応する第１記録層の記録状態を統一することができる。これにより、第２記録層の記録管理エリアに、好適に記録管理データを記録することができる。【００３５】
上述の如く第２制御手段を備える情報記録装置の態様では、前記第２制御手段は、前記記録管理データが記録された前記第１記録層の記録領域の外周側端部と前記記録管理データが記録された前記第２記録層の記録領域の外周側端部とが、少なくとも所定距離離れて前記記録管理データが記録されるように前記第２記録手段を制御するように構成してもよい。
【００３６】
このように構成すれば、後に図面を用いて詳述するように、第２記録層の記録管理エリアに記録管理データを記録する際に、対応する第１記録層の記録状態を統一することができる。これにより、第２記録層の記録管理エリアに、好適に記録管理データを記録することができる。【００３７】
上述の如く第２制御手段を備える情報記録装置の態様では、前記記録管理データが未記録である前記第１記録層の前記記録管理エリアの記録領域の少なくとも一部に、前記記録管理データとしてダミー情報を記録するように前記第１記録手段を制御する第３制御手段を更に備え、前記第２制御手段は、前記ダミー情報が記録された前記第１記録層の記録領域の内周側端部と前記記録管理データが記録された前記第２記録層の記録領域の内周側端部とが、少なくとも所定距離離れて前記記録管理データが記録されるように前記第２記録手段を制御するように構成してもよい。
【００３８】
このように構成すれば、第３制御手段の動作により、第１記録層の記録管理エリアのすくなくとも一部にダミー情報が記録される。このため、後に図面を用いて詳述するように、第２記録層の記録管理エリア中における記録管理セグメントの配置の態様にかかわらず、第２記録層の記録管理エリアに記録管理データを記録する際に、対応する第１記録層の記録状態を統一することができる。これにより、第２記録層の記録管理エリアに、好適に記録管理データを記録することができる。【００３９】
上述の如く第２制御手段を備える情報記録装置の態様では、前記記録管理データが未記録である前記第１記録層の前記記録管理エリアの記録領域の少なくとも一部に、前記記録管理データとしてダミー情報を記録するように前記第１記録手段を制御する第３制御手段を更に備え、前記第２制御手段は、前記ダミー情報が記録された前記第１記録層の記録領域の外周側端部と前記記録管理データが記録された前記第２記録層の記録領域の外周側端部とが、少なくとも所定距離離れて前記記録管理データが記録されるように前記第２記録手段を制御するように構成してもよい。
【００４０】
このように構成すれば、第３制御手段の動作により、第１記録層の記録管理エリアのすくなくとも一部にダミー情報が記録される。このため、後に図面を用いて詳述するように、第２記録層の記録管理エリア中における記録管理セグメントの配置の態様にかかわらず、第２記録層の記録管理エリアに記録管理データを記録する際に、対応する第１記録層の記録状態を統一することができる。これにより、第２記録層の記録管理エリアに、好適に記録管理データを記録することができる。【００４１】
（情報記録方法の実施形態）
本発明の情報記録方法に係る実施形態は、少なくともユーザデータを記録するためのユーザデータエリアと少なくとも前記ユーザデータの記録を管理するための記録管理データを記録するための記録管理エリアとを夫々備える第１記録層及び第２記録層を備える２層型の情報記録媒体に前記ユーザデータ及び前記記録管理データを記録する情報記録方法であって、前記第１記録層の前記記録管理エリアに、前記記録管理データを記録管理セグメントの単位で記録すると共に当該記録管理セグメントが複数配置されるように前記記録管理データを記録する第１記録工程と、前記第２記録層の前記記録管理エリアに、前記記録管理データを前記記録管理セグメントの単位で記録する第２記録工程と、(i)前記第１記録層の前記記録管理エリアに前記記録管理セグメントが複数配置されるように前記第１記録工程を制御し、(ii)前記第１記録層の前記記録管理エリアに前記記録管理セグメントが複数配置された後に、前記記録管理セグメントを配置するための空き領域を前記第１記録層の前記記録管理エリア内に確保することができなくなる場合に、前記第２記録層の前記記録管理エリアに前記記録管理セグメントが配置されるように前記第２記録工程を制御する第１制御工程とを備える。
【００４２】
本発明の情報記録方法に係る実施形態によれば、上述した本発明の情報記録装置に係る実施形態が有する各種利益と同様の利益を享受することができる。【００４３】
尚、上述した本発明の情報記録装置に係る実施形態における各種態様に対応して、本発明の情報記録方法に係る実施形態も各種態様を採ることが可能である。【００４４】
（コンピュータプログラムの実施形態）
本発明のコンピュータプログラムに係る実施形態は、上述した本発明の情報記録装置に係る実施形態（但し、各種態様を含む）に備えられたコンピュータを制御する記録制御用のコンピュータプログラムであって、該コンピュータを、前記第１記録手段、前記第２記録手段及び前記第１制御手段として機能させる。
【００４５】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。【００４６】
尚、上述した本発明の情報記録装置に係る実施形態における各種態様に対応して、本発明のコンピュータプログラムに係る実施形態も各種態様を採ることが可能である。【００６７】
本実施形態のこのような作用及び他の利得は次に説明する実施例から更に明らかにされよう。【００６８】
以上説明したように、本発明の情報記録装置に係る実施形態によれば、記録手段と、第１制御手段とを備える。本発明の情報記録方法に係る実施形態によれば、記録工程と、第１制御工程とを備える。本発明のコンピュータプログラムに係る実施形態によれば、コンピュータを記録手段及び第１記録手段の少なくとも一部として機能させる。本発明の情報記録媒体に係る実施形態によれば、複数の記録管理セグメントの夫々が単一の記録層に配置される。従って、記録管理データを好適に記録することができる。
【実施例】
【００６９】
以下、本発明の実施例を図面に基づいて説明する。【００７０】
初めに、図１を参照して、本発明の情報記録媒体に係る実施例としての光ディスク１００について説明を進める。ここに、図１（ａ）は、本実施例に係る光ディスク１００の基本構造を示した概略平面図であり、図１（ｂ）は、該光ディスク１００の概略断面図と、これに対応付けられた、その半径方向における記録領域構造の図式的概念図である。【００７１】
図１（ａ）及び図１（ｂ）に示されるように、光ディスク１００は、例えば、ＤＶＤと同じく直径１２ｃｍ程度のディスク本体上の記録面に、センターホール１０１を中心として、リードインエリア（Lead-In Area）１０２又はリードアウトエリア（Lead-Out Area）１１８、本発明における「ユーザデータエリア」の一具体例を構成するデータエリア１０５及び１１５、固定ミドルエリア（Fixed Middle Area）１０９及び１１９が設けられている。そして、光ディスク１００は、透明基板１１０上に記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なデータ管理単位である。【００７２】
尚、本発明は、このような三つのエリアを有する光ディスクには特に限定されない。例えば、リードインエリア１０２、リードアウトエリア１１８又は固定ミドルエリア１０９（１１９）が存在せずとも、以下に説明するデータ構造等の構築は可能である。また、リードインエリア１０２、リードアウトエリア１１８又は固定ミドルエリア１０９（１１９）は更に細分化された構成であってもよい。【００７３】
特に、本実施例に係る光ディスク１００は、図１（ｂ）に示されるように、例えば、透明基板１１０に、本発明に係る第１及び第２記録層の一例を構成するＬ０層及びＬ１層が積層された構造をしている。このような２層型の光ディスク１００の記録再生時には、図１（ｂ）中、下側から上側に向かって照射されるレーザ光ＬＢの集光位置をいずれの記録層に合わせるかに応じて、Ｌ０層におけるデータの記録再生が行なわれるか又はＬ１層におけるデータの記録再生が行われる。特に、Ｌ０層においては内周側から外周側に向かってデータが記録され、他方Ｌ１層においては外周側から内周側に向かってデータが記録される。即ち、本実施例に係る光ディスク１００は、オポジットトラックパス方式の光ディスクに相当する。但し、パラレルトラックパス方式の光ディスクであっても、以下に説明する構成を採用することで、以下に述べる各種利益を享受することができる。【００７４】
そして、本実施例に係る光ディスク１００においては、Ｌ０層を記録した後にＬ１層を記録する記録方法の他に、Ｌ０層とＬ１層の夫々に交互にデータを記録するレイヤージャンプ記録も採用されている。レイヤージャンプ記録について具体的に説明すると、Ｌ０層の一部の記録領域にデータを記録した後、該Ｌ０層の一部の記録領域に対向するＬ１層の一部の記録領域にデータを記録する。その後、Ｌ０層の他の一部の記録領域にデータを記録した後、該Ｌ０層の他の一部の記録領域に対向するＬ１層の他の一部の記録領域にデータを記録する。以降は、この動作が繰り返される。【００７５】
また、本実施例に係る光ディスク１００には、データを複数回記録することができる。つまり、一度データが記録された記録領域に、別のデータに上書きすることができる。具体的には、本実施例に係る光ディスク１００は、例えばＤＶＤ−ＲＷである。【００７６】
また、本実施例に係る光ディスク１００は、リードインエリア１０２及びリードアウトエリア１１８の更に内周側に、ＲＭＡ（Recording Management Area：記録管理エリア）１０３（１１３）を備えている。【００７７】
ＲＭＡ１０３（１１３）は、光ディスク１００へのデータの記録を管理するためのＲＭＤ（Recording Management Data：記録管理データ）を記録するための記録エリアである。ＲＭＤのより具体的なデータ構造については、後に詳述する（図３から図５参照）。【００７９】
尚、固定ミドルエリア１０９（１１９）は、データエリア１０５（１１５）の全体にデータが記録された後に、データを記録する記録層を変更するためのレイヤージャンプを行う際の、光ピックアップの未記録エリアへの飛び出しを防止するための機能を有する。データエリア１０５（１１５）の一部にしかデータが記録されていない場合には、固定ミドルエリア１０９（１１５）に代えて、シフテッドミドルエリア（shifted Middle Area）１０６（１１６）が用いられる。【００８０】
ここで、図２を参照して、シフテッドミドルエリア１０６（１１６）について説明する。ここに、図２は、該光ディスク１００の概略断面図と、これに対応付けられた、その半径方向における記録領域構造の図式的概念図である。【００８１】
図２に示すように、シフテッドミドルエリア１０６は、データエリア１０５の一部に記録されたデータに続けてデータエリア１０５内に設けられる。同様に、シフテッドミドルエリア１１６は、データエリア１１５の一部に記録されたデータに続けてデータエリア１１５内に設けられる。【００８２】
シフテッドミドルエリア１０６（１１６）が設けられることで、データエリア１０５（１１５）の一部にしかデータが記録されていない場合であっても、レイヤージャンプを行う際の光ピックアップの、未記録エリアへの飛び出しを防止することができる。また、レイヤージャンプを行わない場合であっても、光ピックアップの、シフテッドミドルエリア１０６（１１６）よりも外周側の未記録エリア）への飛び出しを防止することができる。加えて、シフテッドミドルエリア１０６（１１６）を設けることで、光ディスク１００上のデータ構造を、ＤＶＤ−ＲＯＭ等の再生専用型の光ディスク上のデータ構造と同様にすることができる。このため、再生専用型の情報再生装置は、当該光ディスク１００に記録されたデータを再生することができる。【００８３】
つまり、シフテッドミドルエリア１０６（１１６）は、データエリア１０５（１１５）の一部にしかデータが記録されていない場合における、光ピックアップの飛び出しを防止する機能と、再生専用型の光ディスクとの互換性を保つ機能との双方を有している。特に、レイヤージャンプ記録を行う場合には、データエリア１０５（１１５）の一部にしかデータが記録されないことが多々生じ得る。従って、シフテッドミドルエリア１０６（１１６）は、レイヤージャンプ記録を行う際に特に有効に用いられる。【００８４】
他方で、固定ミドルエリア１０９（１１９）は、データエリア１０５（１１５）の全体にデータが記録された場合における、光ピックアップの飛び出しを防止する機能と、再生専用型の光ディスクとの互換性を保つ機能との双方を有している。【００８５】
リードインエリア１０２や、リードアウトエリア１１８や、固定ミドルエリア１０９（１１９）や、シフテッドミドルエリア１０６（１１６）には、光ディスク１００に対して通常フォーマット処理（言い換えれば、互換クローズ処理）が施されることで、所定のデータ（例えば、各種制御データや、“００ｈ”等のパディングデータ等）が記録される。更には、光ディスク１００には、通常フォーマット処理に加えて、データを記録可能な領域を確保するためのクイックフォーマット処理も施される。【００８６】
続いて、図３から図５を参照して、ＲＭＡ１０３（１１３）に記録されるＲＭＤの具体的なデータ構造について説明する。ここに、図３は、ＲＭＡ１０３（１１３）に記録されるＲＭＤのデータ構造を概念的に示すデータ構造図であり、図４は、ＲＭＤを構成するフィールド毎のデータ構造を、フォーマット２及びフォーマット３の夫々について概念的に示すデータ構造図であり、図５は、フォーマット３のＲＭＤのフィールド３のデータ構造を示すデータ構造図である。【００８７】
図３に示すように、ＲＭＡ１０３とＲＭＡ１１３とを組み合わせた記録領域は、夫々が本発明における「記録管理セグメント」の一具体例を構成する５つのＲＭＡセグメント（＃１から＃５）に分割される。各ＲＭＡセグメント（＃１から＃５）は、１４０ＥＣＣブロックのサイズを有している。各ＲＭＡセグメント（＃１から＃５）には、２８個のＲＭＤセット（＃１から＃２８）を記録することができる。各ＲＭＤセット（＃１から＃２８）には、夫々が３２ＫＢのサイズを有する５つのＲＭＤブロックを記録することができる。各ＲＭＤセット（＃１から＃２８）に記録される５つのＲＭＤブロックは、同一の内容を有している。言い換えれば、同一の内容を示す５つのＲＭＤブロックが、重複的に一つのＲＭＤセットに記録される。各ＲＭＤブロックは、２ＫＢのサイズを有するリンキングロスエリア（Linking Loss Area）と、夫々が２ＫＢのサイズを有する１５個のフィールド（０から１４）を含んでいる。【００８８】
図４に示すように、本実施例に係る光ディスク１００は、フォーマット２ＲＭＤ（Format 2 RMD）とフォーマット３ＲＭＤ（Format 3 RMD）とを、ＲＭＡ１０３及びＲＭＡ１１３に記録する。フォーマット２ＲＭＤは、有効な（言い換えれば、最新の）フォーマット３ＲＭＤの位置を示すポインタの機能を有しており、フォーマット３ＲＭＤは、光ディスク１００におけるデータの記録を管理するための情報が実際に含まれる。【００８９】
具体的には、図５に示すように、フォーマット２ＲＭＤは、リンキングロスエリアと、共通情報（Common Information）と、ＲＭＤセットへのポインタ（Pointer to RMD Set）と、リザーブドエリアとを含んでいる。【００９０】
フォーマット３ＲＭＤは、リンキングロスエリアと、共通情報と、ＯＰＣ関連情報（Optimum Power Control Related Information）と、ユーザ固有データ（User Specific Data）と、記録ステータス情報（Recording Status Information）と、ディフェクトステータスビットマップ（Defect Status Bitmap）と、ドライブ固有情報（Drive Specific Information）と、ディスクテスティングエリア情報（Disc Testing Area Information）とを含んでいる。【００９１】
フォーマット２ＲＭＤは、ＲＭＤセットへのポインタにより、有効なフォーマット３ＲＭＤの位置を示すため、各ＲＭＡセグメントの先頭のＲＭＤセット＃１に記録され、フォーマット３ＲＭＤは、各ＲＭＡセグメントの先頭のＲＭＤセット＃１以外のＲＭＤセット（＃２から＃２８）に記録される。【００９２】
具体的には、ブランクな光ディスク１００に対して例えば通常フォーマット処理或いはクイックフォーマット処理を施すと、ＲＭＡセグメント＃１の先頭のＲＭＤセット＃１以外のＲＭＤセット＃２（或いは、ＲＭＤセット＃３から＃２８）に、フォーマット３ＲＭＤが記録される。そして、フォーマット３ＲＭＤが記録される位置をポイントするためのフォーマット２ＲＭＤが、ＲＭＡセグメント＃１の先頭のＲＭＤセット＃１に記録される。【００９３】
データエリア１０５（１１５）へのデータの記録が進むにつれて、フォーマット３ＲＭＤの更新が行われる。フォーマット３ＲＭＤは、更新されるたびに或いは所定のタイミングで、同じＲＭＤセット＃２に上書き（Over Write）される。上書きが何度も行われるうちに、書換回数の上限を超えた上書きの影響で或いは傷や汚れ等の影響で、読込エラーが発生するようになる。そして、ＲＭＤセット＃２に含まれる５つのＲＭＤブロックのうち、複数のＲＭＤブロックでフォーマット３ＲＭＤを読み込むことができなくなった場合には、ＲＭＤセット＃２以外のＲＭＤセット＃３に、新たにフォーマット３ＲＭＤが記録される。この場合、フォーマット２ＲＭＤについても、フォーマット３ＲＭＤが記録される位置が変更したことに伴って更新され、ＲＭＤセット＃１に上書きされる。以降、このような動作が、ＲＭＤセット＃３から＃２８についても行われる。そして、ＲＭＡセグメント＃１の全てのＲＭＤセットについてフォーマット３ＲＭＤを読み込むことができないと判断された場合には、ＲＭＡセグメント＃２のＲＭＤセット＃２にフォーマット３ＲＭＤを新たに記録し、ＲＭＡセグメント＃２のＲＭＤセット＃１にフォーマット２ＲＭＤを新たに記録する。以降、このような動作がＲＭＡセグメント＃２から＃５についても行われる。【００９４】
また、ＲＭＡセグメント＃１のＲＭＤセット＃１に含まれる５つのＲＭＤブロックのうち、複数のＲＭＤブロックでフォーマット２ＲＭＤを読み込むことができなくなった場合には、ＲＭＡセグメント＃２を利用して、フォーマット２ＲＭＤ及びフォーマット３ＲＭＤを記録する。この場合、ＲＭＡセグメント＃１のＲＭＤセット＃２から＃２８のいずれかからフォーマット３ＲＭＤを読み込むことができたとしても、次のＲＭＡセグメント＃２を利用して、フォーマット２ＲＭＤ及びフォーマット３ＲＭＤを記録する。【００９５】
（情報記録再生装置）
続いて、図６を参照して、本発明の情報記録装置に係る実施例としての情報記録再生装置２００について説明する。ここに、図６は、本実施例に係る情報記録再生装置２００の基本的な構成を概念的に示すブロック図である。尚、情報記録再生装置２００は、光ディスク１００にデータを記録する機能と、光ディスク１００に記録されたデータを再生する機能とを備える。【００９６】
図６に示すように、情報記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。【００９７】
ディスクドライブ３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【００９８】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【００９９】
光ピックアップ３５２は、ＣＰＵ３５４と共に本発明における「記録手段」の一具体例を構成しており、光ディスク１００への記録再生を行うために、例えば図示しない半導体レーザ素子と、コリメータレンズ及び対物レンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【０１００】
信号記録再生手段３５３は、ＣＰＵ３５４の制御を受けながらスピンドルモータ３５１と光ピックアップ３５２を制御することで、光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、例えば駆動パルスを生成し、光ピックアップ３５２内に設けられた半導体レーザ素子を駆動する。ヘッドアンプは、光ピックアップ３５２の出力信号、即ち、光ビームの反射光を増幅し、該増幅した信号を出力する。【０１０１】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１０２】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。【０１０３】
データ入出力制御手段３０６は、ディスクドライブ３００に対する外部からのデータ入出力を制御し、メモリ３５５上のデータバッファへの格納及び取り出しを行う。ディスクドライブ３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【０１０４】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、ディスクドライブ３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。【０１０５】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【０１０６】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。【０１０７】
（ＲＭＤの記録動作）
続いて、図７を参照して、本実施例に係る情報記録再生装置２００によるＲＭＡ１０３及び１１３の使用の態様について説明を進める。ここに、図７は、ＲＭＡ１０３及び１１３の使用の態様を概念的に示すデータ構造図である。【０１０８】
図７に示すように、本実施例に係る情報記録再生装置２００は、本発明における「第１制御手段」の一具体例を構成するＣＰＵ３５４の制御の下に、ＲＭＡセグメント＃１からＲＭＡセグメント＃４をＲＭＡ１０３に配置する。また、ＲＭＡセグメント＃１の内周側に、１ＥＣＣブロックのサイズを有するＲＭＡリードインエリアを配置する。【０１０９】
このとき、ＲＭＡ１０３には、６８ＥＣＣブロックのサイズを有する記録領域が残される。しかしながら、６８ＥＣＣブロックのサイズを有する記録領域には、１４０ＥＣＣブロックのサイズを有するＲＭＡセグメント＃５を配置することができない。そこで、本実施例に係る情報記録再生装置２００は、本発明における「第１制御手段」の一具体例を構成するＣＰＵ３５４の制御の下に、ＲＭＡセグメント＃５をＲＭＡ１１３に配置する。つまり、本実施例に係る情報記録再生装置２００は、ＲＭＡセグメント＃５を、ＲＭＡ１０３とＲＭＡ１１３とに跨るように配置することなく、ＲＭＡセグメント＃５の全体をＲＭＡ１１３に配置する。言い換えれば、本実施例に係る情報記録再生装置２００は、各ＲＭＡセグメント（＃１から＃５）を、単一の記録層に配置する。【０１１０】
このため、例えばＲＭＡセグメント＃１から＃４を用いてＲＭＤを記録している場合には、Ｌ１層のＲＭＡ１１３にアクセスすることなく、Ｌ０層のＲＭＡ１０３にアクセスすれば、ＲＭＤを記録することができ、且つＲＭＤを読み取ることができる。より具体的には、Ｌ０層のＲＭＡ１０３にＲＭＤを記録していれば、ＲＭＤを記録するＲＭＤセットが変更された場合であっても、Ｌ０層のＲＭＡ１０３中のポインタを更新すればよい。同様に、Ｌ０層のＲＭＡ１０３に記録されているポインタを読み取れば、Ｌ０層に記録されているＲＭＤを読み取ることができる。つまり、最新のＲＭＤと該最新のＲＭＤを示すポインタとが、常にＬ０層に記録されている。このため、Ｌ０層のＲＭＡ１０３に配置されているＲＭＡセグメント＃１から＃４を使用している限りは、ＲＭＤを記録する或いは読み取るために、Ｌ１層に向かってレイヤージャンプを行う必要がない。【０１１１】
他方、例えばＲＭＡセグメント＃５を用いてＲＭＤを記録している場合には、Ｌ０層のＲＭＡ１０３にアクセスすることなく、Ｌ１層のＲＭＡ１１３にアクセスすれば、ＲＭＤを記録することができ、且つＲＭＤを読み取ることができる。より具体的には、Ｌ１層のＲＭＡ１１３にＲＭＤを記録していれば、ＲＭＤを記録するＲＭＤセットが変更された場合であっても、Ｌ１層のＲＭＡ１１３中のポインタを更新すればよい。同様に、Ｌ１層のＲＭＡ１１３に記録されているポインタを読み取れば、Ｌ１層に記録されているＲＭＤを読み取ることができる。つまり、最新のＲＭＤと該最新のＲＭＤを示すポインタとが、常にＬ１層に記録されている。このため、Ｌ１層のＲＭＡ１１３に配置されているＲＭＡセグメント＃５を使用している限りは、ＲＭＤを記録する或いは読み取るために、Ｌ０層に向かってレイヤージャンプを行う必要がない。【０１１２】
このように、ＲＭＤを記録する又は読み取るためにレイヤージャンプを行う必要がないため、ＲＭＤを記録する又は読み取る際に要する時間を相対的に短縮することができる。つまり、相対的に迅速にＲＭＤを記録する又は読み取ることができる。【０１１３】
加えて、ＲＭＤを記録する又は読み取るためにレイヤージャンプを行う必要がないため、同一の記録パワーで、ポインタとＲＭＤとを同一の記録層に記録することができる。具体的には、ポインタ及びＲＭＤを同時に記録する場合に、Ｌ０層における最適記録パワーでＲＭＡ１０３にポインタを記録し、且つＬ１層における最適記録パワーでＲＭＡ１１３にＲＭＤを記録する必要がない。同様に、ポインタ及びＲＭＤを同時に記録する場合に、Ｌ０層における最適記録パワーでＲＭＡ１０３にＲＭＤを記録し、且つＬ１層における最適記録パワーでＲＭＡ１１３にポインタを記録する必要がない。ポインタ及びＲＭＤを同時に記録する場合には、Ｌ０層における最適記録パワーで、Ｌ０層のＲＭＡ１０３にポインタ及びＲＭＤを記録すれば足りる。同様に、ポインタ及びＲＭＤを同時に記録する場合には、Ｌ１層における最適記録パワーで、Ｌ１層のＲＭＡ１１３にポインタ及びＲＭＤを記録すれば足りる。仮に、Ｌ０層のＲＭＡ１０３にポインタを記録し、Ｌ１層のＲＭＡ１１３にＲＭＤを記録する場合に、Ｌ１層における最適記録パワーのみを認識しており且つＬ０層における最適記録パワーを認識していなければ、ポインタ及びＲＭＤを記録するために、Ｌ０層における最適記録パワーを算出する必要がある。これではＬ０層における最適記録パワーを算出するための時間を必要とし、迅速なＲＭＤの記録を行うことができない。しかるに、本実施例によれば、このような不都合が発生することはなく、ＲＭＤを記録する又は読み取る際に要する時間を相対的に短縮することができる。つまり、相対的に迅速にＲＭＤを記録する又は読み取ることができる。【０１１４】
そして、本実施例に係る光ディスク１００が例えばＤＶＤ−ＲＷである場合には、データを一度のみ記録可能なＤＶＤ−ＲのＲＭＡと同じ領域に、５つのＲＭＡセグメントをＲＭＡ１０３及び１１３に配置することができる。このため、書換可能型の光ディスク１００と、追記型の光ディスクとの互換性を好適に担保することができる。【０１１５】
尚、図７には、ＲＭＡ１０３及び１１３の夫々の内周側端部と外周側端部の、物理セクタアドレス、ＥＣＣブロックアドレス及び半径位置が、参考のために示されている。【０１１６】
具体的には、ＲＭＡ１０３の内周側端部の物理セクタアドレスは、“０２１ＣＥ０ｈ”であり、ＲＭＡ１０３の内周側端部のＥＣＣブロックアドレスは、“ＦＦＤＥ３１ｈ”であり、ＲＭＡ１０３の内周側端部の半径位置は、２２．３２ｍｍである。【０１１７】
ＲＭＡ１０３の外周側端部の物理セクタアドレスは、“０２４４２Ｆｈ”であり、ＲＭＡ１０３の外周側端部のＥＣＣブロックアドレスは、“ＦＦＤＢＢＤｈ”であり、ＲＭＡ１０３の外周側端部の半径位置は、２２．６２ｍｍである。【０１１８】
ＲＭＡ１１３の内周側端部の物理セクタアドレスは、“ＦＤＢ１９Ｆｈ”であり、ＲＭＡ１１３の内周側端部のＥＣＣブロックアドレスは、“００２４Ｅ６ｈ”であり、ＲＭＡ１１３の内周側端部の半径位置は、２２．４２５ｍｍである。つまり、ＲＭＡ１１３の内周側端部とＲＭＡ１０３の内周側端部とは、光ディスク１００の径方向において、０．１０５ｍｍ離れている。【０１１９】
ＲＭＡ１１３の外周側端部の物理セクタアドレスは、“ＦＤＡ５Ｄ０ｈ”であり、ＲＭＡ１１３の外周側端部のＥＣＣブロックアドレスは、“００２５Ａ２ｈ”であり、ＲＭＡ１１３の外周側端部の半径位置は、２２．５１５ｍｍである。つまり、ＲＭＡ１１３の外周側端部とＲＭＡ１０３の外周側端部とは、光ディスク１００の径方向において、０．１０５ｍｍ離れている。【０１２０】
尚、上述の如く各ＲＭＡセグメント（＃１から＃５）を単一の記録層に配置することによって、Ｌ０層のＲＭＡ１０３には、ＲＭＤが記録されない、６８ＥＣＣブロックのサイズを有する未記録領域が生ずる。このため、該未記録領域を介してレーザ光ＬＢが照射されることにより、Ｌ１層のＲＭＡ１１３にＲＭＤが記録される場合が考えられる。しかしながら、Ｌ０層及びＬ１層を備えている光ディスク１００においては、記録されるデータの記録特性を好適に保つために、データが記録されたＬ０層を介してレーザ光ＬＢが照射されることで、Ｌ１層にデータが記録されることが好ましい（以降、このような条件を、適宜“レコーディングオーダー：Recording Order”と称する）。【０１２１】
従って、上述の如く各ＲＭＡセグメント（＃１から＃５）を単一の記録層に配置する場合には、レコーディングオーダーを満たすために、Ｌ０層のＲＭＡ１０３に生ずる未記録領域にダミーデータを記録することが好ましい。以下、図８から図１１を参照して、Ｌ０層のＲＭＡ１０３に生ずる未記録領域にダミーデータを記録する態様について説明する。ここに、図８は、Ｌ０層のＲＭＡ１０３に生ずる未記録領域にダミーデータを記録する一の態様を概念的に示すデータ構造図であり、図９は、図８の状態でＬ１層のＲＭＡ１１３にＲＭＤを記録する場合のレーザ光ＬＢの照射の態様を概念的に示す断面図であり、図１０は、Ｌ０層のＲＭＡ１０３に生ずる未記録領域にダミーデータを記録する他の態様を概念的に示すデータ構造図であり、図１１は、Ｌ０層のＲＭＡ１０３に生ずる未記録領域にダミーデータを記録する他の態様を概念的に示すデータ構造図である。【０１２２】
図８に示すように、ＲＭＡ１１３の外周側の端部から順にＲＭＡリードインエリア及びＲＭＡセグメント＃５が配置される場合には、本発明における「第２制御手段」及び「第３制御手段」の一具体例を構成するＣＰＵ３５４の制御の下に、Ｌ０層のＲＭＡ１０３に生ずる、６８ＥＣＣブロックのサイズを有する未記録領域の全体に、例えば“００ｈ”データ等のダミーデータが記録される。【０１２３】
従って、図９に示すように、本発明における「第２制御手段」の一具体例を構成するＣＰＵ３５４の制御の下に、ＲＭＤ又はダミーデータが記録済みであるＬ０層の記録領域を介してレーザ光ＬＢが照射され、その結果、ＲＭＡ１１３にＲＭＤが記録される又はＲＭＡ１１３におけるＲＭＡリードインエリアに所定のデータが記録される。従って、レコーディングオーダーを満たすことができる。【０１２４】
尚、ＲＭＡ１１３の両端のエリア部分は、データの記録が行われると、レコーディングオーダーが満たされないため、データが記録されることなく残されることが好ましい。つまり、ＲＭＡ１１３の両端のエリア部分にデータの記録を行うと、レコーディングオーダーが満たされないため、データを記録するためのエリア部分としては使用されないことが好ましい。【０１２５】
加えて、ＲＭＡ１１３内の、ＲＭＡセグメント＃５の内周側に位置する４８ＥＣＣブロックのエリア部分（例えば、ドライブ特定エリア：Drive Specific Areaと称する）は、データが記録されることなく残されることが好ましい。【０１２６】
また、図１０に示すように、ＲＭＡセグメント＃５及びＲＭＡリードインエリアを、ＲＭＡ１１３の内周側の端部に隣接するように配置する場合には、本発明における「第２制御手段」の一具体例を構成するＣＰＵ３５４の制御の下に、Ｌ０層のＲＭＡ１０３に生ずる、６８ＥＣＣブロックのサイズを有する未記録領域のうち、ＲＭＡセグメント＃４に続く２０ＥＣＣブロックのサイズを有する未記録領域にダミーデータを記録すれば足りる。【０１２７】
このようにダミーデータを記録しても、図９に示す場合と同様に、本発明における「第２制御手段」の一具体例を構成するＣＰＵ３５４の制御の下に、ＲＭＤ又はダミーデータが記録済みであるＬ０層の記録領域を介してレーザ光ＬＢが照射され、その結果、ＲＭＡ１１３にＲＭＤが記録される又はＲＭＡ１１３におけるＲＭＡリードインエリアに所定のデータが記録される。従って、レコーディングオーダーを満たすことができる。【０１２８】
この場合も、ＲＭＡ１１３内の、ＲＭＡリードインエリアの外周側に位置する４８ＥＣＣブロックのエリア部分（つまり、上述のドライブ特定エリア）は、データが記録されることなく残されることが好ましい。【０１２９】
また、図１１に示すように、ＲＭＡセグメント＃１から＃４及びＲＭＡリードインエリアを、ＲＭＡ１０３の外周側の端部に隣接するように配置する場合には、本発明における「第２制御手段」の一具体例を構成するＣＰＵ３５４の制御の下に、Ｌ０層のＲＭＡ１０３の内周側に生ずる、６８ＥＣＣブロックのサイズを有する未記録領域のうち、ＲＭＡリードインエリアに続く２０ＥＣＣブロックのサイズを有する未記録領域にダミーデータを記録すれば足りる。【０１３０】
このようにダミーデータを記録しても、図９に示す場合と同様に、本発明における「第２制御手段」の一具体例を構成するＣＰＵ３５４の制御の下に、ＲＭＤ又はダミーデータが記録済みであるＬ０層の記録領域を介してレーザ光ＬＢが照射され、その結果、ＲＭＡ１１３にＲＭＤが記録される又はＲＭＡ１１３におけるＲＭＡリードインエリアに所定のデータが記録される。従って、レコーディングオーダーを満たすことができる。【０１３１】
この場合も、ＲＭＡ１１３内の、ＲＭＡセグメント＃５の内周側に位置する４８ＥＣＣブロックのエリア部分（つまり、上述のドライブ特定エリア）は、データが記録されることなく残されることが好ましい。【０１３２】
尚、ＲＭＡセグメント＃１から＃５の配置は、図８から図１１に示した例に限られないことは言うまでもない。そして、ＲＭＡセグメント＃１から＃５の配置にかかわらず、ＲＭＡ１１３におけるＲＭＡリードインエリアの外周側の端部と、ＲＭＡ１０３におけるＲＭＡセグメント＃４の外周側に記録されるダミーデータの外周側の端部とが、光ディスク１００の径方向において少なくとも０．１０５ｍｍ程度離れている（言い換えれば、約２２０ＥＣＣブロックのサイズに相等する大きさ離れている）ようにダミーデータが記録されることが好ましい。言い換えれば、ＲＭＡ１１３においてＲＭＤ等が記録される記録領域の外周側の端部と、ＲＭＡ１０３においてＲＭＤ等やダミーデータが記録される記録領域の外周側の端部とが、光ディスク１００の径方向において少なくとも０．１０５ｍｍ程度離れているようにダミーデータが記録されることが好ましい。同様に、ＲＭＡ１１３におけるＲＭＡセグメント＃５の内周側の端部と、ＲＭＡ１０３におけるＲＭＡリードインエリアの内周側に記録されるダミーデータの内周側の端部とが、光ディスク１００の径方向において少なくとも０．１０５ｍｍ程度離れているようにダミーデータが記録される。言い換えれば、ＲＭＡ１１３においてＲＭＤ等が記録される記録領域の内周側の端部と、ＲＭＡ１０３においてＲＭＤ等やダミーデータが記録される記録領域の内周側の端部とが、光ディスク１００の径方向において少なくとも０．１０５ｍｍ程度離れているようにダミーデータが記録されることが好ましい。このようにダミーデータを記録することで、レコーディングオーダーを満たすことができる。【０１３３】
また、ダミーデータの記録は、ＲＭＡセグメント＃４の全てのＲＭＤセットについてＲＭＤを読み込むことができないと判断された後であって、且つＲＭＡセグメント＃５に新たにＲＭＤを記録する前に行うように構成してもよい。【０１３４】
或いは、ＲＭＡセグメント＃１から＃４を用いてＲＭＤを記録している場合であって、且つＲＭＤやユーザデータの記録動作や読取動作を行っていない待機状態にある場合に、ダミーデータを記録するように構成してもよい。これにより、情報記録再生装置２００の処理負荷が高くないときにダミーデータを記録することができると共に、ＲＭＡセグメント＃４を使用することができないと判断された後にすぐにＲＭＡセグメント＃５を用いてＲＭＤを記録することができる。【０１３５】
また、待機状態にある時間の長さによっては、未記録領域の一部にしかダミーデータを記録することができないことがあり得る。この場合、待機状態になる都度、ダミーデータが既に記録されている記録領域にのみ選択的にダミーデータを記録するように構成してもよいし、或いは待機状態になる都度未記録領域の全体にダミーデータを記録するように構成してもよい。【０１３６】
また、光ディスク１００が複数の情報記録再生装置２００にローディングされ得ることを考慮すると、光ディスク１００を初めてローディングした情報記録再生装置２００がダミーデータを記録するように構成してもよい。これにより、光ディスク１００を初めてローディングした情報記録再生装置２００以外の他の情報記録再生装置２００がダミーデータを記録する必要がなくなる。【０１３７】
尚、上述の実施例では、情報記録再生装置２００の記録動作によりＲＭＡセグメントが配置され、且つダミーデータが記録される例を説明したが、光ディスク１００の製造時に予め上述の如き態様でＲＭＡセグメントが配置されていてもよい。同様に、光ディスク１００の製造時に予め上述の如き態様でダミーデータが記録されていてもよい。このような光ディスク１００も本発明の範囲に含まれることは言うまでもない。【０１３９】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１４０】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、並びにコンピュータプログラムもまた本発明の技術的範囲に含まれるものである。
【産業上の利用可能性】
【０１４１】
本発明に係る情報記録装置及び方法、コンピュータプログラム並びに情報記録媒体は、例えば、ＤＶＤ等の情報記録媒体や、ＤＶＤレコーダ等の情報記録装置等に利用可能である。また、例えば民生用或いは業務用の各種コンピュータ機器に搭載される又は各種コンピュータ機器に接続可能な情報記録装置等にも利用可能である。
【図１】
0004798584.tif 000002
【図２】
0004798584.tif 000003
【図３】
0004798584.tif 000004
【図４】
0004798584.tif 000005
【図５】
0004798584.tif 000006
【図６】
0004798584.tif 000007
【図７】
0004798584.tif 000008
【図８】
0004798584.tif 000009
【図９】
0004798584.tif 000010
【図１０】
0004798584.tif 000011
【図１１】
0004798584.tif 000012